(57)【要約】  【課題】表示体の装着を簡単な着脱操作でできる係止具を提供する。  【解決手段】 ユニフォームやウエアなどの基布(２)にゼッケン等のシート状表示体(３)を取り付ける係止具(１)であって、生分解性素材で形成されたタグピン(４)と、このタグピン(４)を押し出し操作するタグガン(５)とで構成した。【選択図】    図２
2020170081.tif 000002
【特許請求の範囲】
【請求項１】
基布(２)にシート状表示体(３)を取り付ける係止具(１)であって、生分解性素材で形成されたタグピン(４)と、このタグピン(４)を押し出し操作するタグガン(５)とで構成したことを特徴とする表示体の係止具。
【請求項２】
タグピン(４)が挟み等の切断器具を用いることなく手で破断できる強度に形成されている請求項１に記載した表示体の係止具。
【発明の詳細な説明】
【技術分野】
【０００１】
本発明は、各種スポーツイベントや競技会で体操着やユニフォームに取り付けて使用される名札やゼッケン等のシート状表示体の係止具に関する。
【背景技術】
【０００２】
従来、各種スポーツイベントや競技会で使用される名札やゼッケン等のシート状表示体は、予めエントリー時に主催者から渡され、スポーツイベントや競技会の当日までに体操着やユニフォームに固定できる場合もあるが、スポーツイベントや競技会の当日に渡されることもある。また、競技終了後に主催者に返納することが競技成立の要件とされることもある。
【０００３】
従来、このようなシート状表示体は、体操着やユニフォームを構成している基布にシート状表示体を縫着したり、基布とシート状表示体とにそれぞれ留めつけた雌雄一対のホックや面ファスナー対で結合させたり、安全ピンで基布にシート状表示体を止着させたりしている。
【先行技術文献】
【特許文献】
【０００４】
【特許文献１】特開２００３−１５００６３号公報
【特許文献２】特開２００５−１８９６４７号公報
【発明の概要】
【発明が解決しようとする課題】
【０００５】
各種スポーツイベントや競技会で使用される名札やゼッケン等のシート状表示体は、その性質上主催者側で用意されたものが貸与されることから、シート状表示体に取り付けられたホックや面ファスナー間隔に合わせて被着側接合部材を基布に取り付けたり、シート状表示体を基布に直接的に縫着したりするいわゆる現場合わせ的な取付になることが多かった。この結果、シート状表示体と基布との密着性が悪くなり、競技中に一部が外れて垂れたり、外れたりすることがあった。。一方、安全ピンでの取り付けにおいては、外れた場合、先が鋭利であることで身体を傷つける可能性も否めなかった。
【０００６】
また、競技終了後にシート状表示体を主催者に返却する場合には、接続具を除去することになることから、競技場のフィールド内に除去した糸などの断片が取り残されていることもあった。
【０００７】
本発明は、このような点に鑑み提案されたもので、体操着やユニフォームを構成している基布にシート状表示体の着脱を容易に行うことが出来、かつ競技状の環境汚染を低減させることのできる表示体の係止具を提供することを目的とする。
【課題を解決するための手段】
【０００８】
上述の目的を達成するために、請求項１に開示した本発明は、基布にシート状表示体を取り付ける係止具であって、生分解性素材で形成されたタグピンと、このタグピンを押し出し操作するタグガンとで構成したことを特徴としている。
【０００９】
また、請求項２に開示した本発明は、請求項１の構成に加えて、タグピンが挟み等の切断器具を用いることなく手で破断できる強度に形成されていることを特徴としている。
【発明の効果】
【００１０】
本発明の表示体の係止具は、タグガンとこのタグガンに組み付け可能な生分解性を有する素材で形成したタグピンとから構成されていることから、各種スポーツイベントや競技会の当日にゼッケン等のシート状表示体を配布されても、体操着やユニフォームとの接合を確実に行うことが出来る。
【００１１】
さらに、タグピンが生分解性を有する素材で形成されていることから、ゼッケン等のシート状表示体をとりはずした際にタグピンの一部を回収できずにその場に取り残されたとしても、その残留タグピンは環境条件で分解消去されることになるから、環境汚染を減少させることが出来る。
【００１２】
また、タグピンの強度を挟み等切断器具を用いることなく手で破断できる強度に形成した場合には、ゼッケン等のシート状表示体を取り外す際、手でタグピンを折ることでシート状表示体を取り外すことができる。
【図面の簡単な説明】
【００１３】
【図１】本発明に使用するタグガンの概略斜視図である。
【図２】本発明に使用するタグガンの要部取り出し図である。
【図３】シート状表示体を基布に取り付けた状態での要部取り出し図である。
【発明を実施するための形態】
【００１４】
本発明に係る表示体の係止具(１)は、体操着やユニフォームを構成している基布(２)にゼッケンや名札等のシート状表示体(３)を取り付けるものであって、生分解性素材で形成されたタグピン(４)と、このタグピン(４)を押し出し操作するタグガン(５)とで構成してある。
【００１５】
図１に示すように、タグガン(５)は、先端に中空ニードル(６)を取り換え可能に装着した本体部分(７)と、この本体部分(７)から斜め下向きに連出されている握り部(８)と、本体部分(７)に出退可能に収容されている押し棒(９)と、この押し棒(９)を進退操作する握りレバー(10)とで構成してあり、タグピン(４)を積層して形成したカートリッジ(11)の収容部(12)が押し棒(９)の進退領域内に形成してある
【００１６】
タグピン(４)は、トウモロコシなどの植物由来のでんぷんを原料とした完全生分解性素材を成型して形成されており、このタグピン(４)は図２に示すように、連結杆(13)の一端にタグ抜け止めフランジ(14)が形成されるとともに、連結杆(13)の他端には基布(２)及びシート状表示体(３)を貫通して抜け止めとなる受止片(15)が形成されている。
【００１７】
タグ抜け止めフランジ(14)と受止片(15)とは、それぞれが連結杆(13)から同一位相面内に連出されていて。連結杆(13)を軸心に沿って視認した際にそれぞれが重なり合うように連出されている。
【００１８】
タグガン(５)に装着されている中空ニードル(６)は、その周面に連結杆(13)が移動できるスリットが形成されており、カートリッジ収容部(12)にカートリッジ(11)をセットした際には、中空ニードル(６)の軸心と、最下端に位置している受止片(15)の軸心とが一致するようにしてある。
【００１９】
カートリッジ(11)をカートリッジ収容部(12)にセットした状態で握りレバー(10)を握ることで押し棒(９)を進出させ、最下端に位置している受止片(15)を押し込むことで上下の接合を破断して、中空ニードル(６)内で前進移動させることで受止片(15)と連結杆(13)との接合状態をＴ字状接続からイの字接続、さらに一直線に重なるように変化させて、重なる状態に配置されている２枚の布帛物を貫通させることになる。そして、連結杆(13)と重なり合っていた受止片(15)の後端が、対象物を貫通した段階で、受止め片(15)が弾性で元のＴ字状接合状態に復帰することになり、タグピン(４)は、重なり合っている２枚の布帛物を接合することになる。
【００２０】
タグピン(４)は、手で破断できる程度の強度に設定してあり、挟み等の切断器具を用いることなくイベント終了時に、ゼッケンや名札等のシート状表示体(３)を体操着やユニフォームを構成している基布(２)から外すことが出来るようにしてある。
【００２１】
また、タグピン(４)の素材をトウモロコシなどの植物由来のでんぷんを原料とした完全生分解性素材とした場合には、ゼッケンや名札等のシート状表示体(３)を体操着やユニフォームを構成している基布(２)を外す際に、回収しきれないタグピンの破断物がイベント会場の地面に残ったとしても、自然分解されることになるから、環境汚染は著しく低減できることになる。
【産業上の利用可能性】
【００２２】
本発明に係る表示体の係止具は、本格的なスポーツイベントや小規模なイベントでの名札やゼッケンの装着に使用することが出来る。
【符号の説明】
【００２３】
１…係止具、２…基布、３…シート状表示体、４…タグピン、５…タグガン。
【図１】
2020170081.tif 000003
【図２】
2020170081.tif 000004
【図３】
2020170081.tif 000005